(57)【要約】本願によれば、カートリッジ型はんだごてのためのカートリッジシステム（３５）は、フック（２４）を備えるスリーブストッパ（１）と、ストッパ（１）を覆うスリーブ（２１）とを有している。スリーブストッパ（１）のフック（２４）は、電源と接続するはんだごてのソケットアセンブリ（７０）に固定される。はんだごてのチップカートリッジ（３５）は、チップカートリッジ（３５）に対してスリーブストッパ（１）を固定するチップ保持機構（３７）を有している。スリーブ（１）は、熱からユーザーの指を守る非熱伝導性材料で作られている。
2009528167.tif 000002
【特許請求の範囲】
【請求項１】
電源に接続されるソケットアセンブリと、
チップカートリッジと、
前記ソケットアセンブリに固定するための手段を有し、前記チップカートリッジを保持するスリーブアセンブリと、を備え、
前記チップカートリッジは、前記ソケットアセンブリにスライド可能に連結されるように構成され、前記スリーブアセンブリと前記ソケットアセンブリとが前記固定するための手段によって互いに固定された状態で、前記ソケットアセンブリと電気的な接続が確立されている、カートリッジ型はんだごて。
【請求項２】
前記スリーブアセンブリは、
前記固定するための手段を有するスリーブストッパと、
前記スリーブストッパと連結されるように構成されたスリーブと、を備えている、請求項１に記載のカートリッジ型はんだごて。
【請求項３】
前記ソケットアセンブリは、前記スリーブストッパに固定するための一対の開口部を有している、請求項２に記載のカートリッジ型はんだごて。
【請求項４】
前記固定するための手段は少なくとも１つのフックである、請求項１に記載のカートリッジ型はんだごて。
【請求項５】
前記フックはボタンを有している、請求項４に記載のカートリッジ型はんだごて。
【請求項６】
前記ソケットアセンブリは、前記フックに固定するための開口部を有している、請求項４に記載のカートリッジ型はんだごて。
【請求項７】
前記固定するための手段は一対のフックである、請求項４に記載のカートリッジ型はんだごて。
【請求項８】
各フックはボタンを有している、請求項７に記載のカートリッジ型はんだごて。
【請求項９】
前記スリーブは一対の切り欠きを有している、請求項２に記載のカートリッジ型はんだごて。
【請求項１０】
前記スリーブは、六角形の周囲、多角形の周囲、または円形の周囲を有している、請求項２に記載のカートリッジ型はんだごて。
【請求項１１】
前記スリーブは、炭素含浸発泡体、ゴム、エラストマー、ポリプロピレン、プラスチック、またはコルクで作られている、請求項２に記載のカートリッジ型はんだごて。
【請求項１２】
前記スリーブは、帯電防止材料および抗菌材料のうちの少なくとも１つを含む、請求項２に記載のカートリッジ型はんだごて。
【請求項１３】
前記チップカートリッジはチップ保持機構を有しており、前記スリーブアセンブリは前記チップ保持機構において前記チップカートリッジを保持している、請求項１に記載のカートリッジ型はんだごて。
【請求項１４】
チップ保持機構を有するチップカートリッジと、
第１の端部および第２の端部を有し、前記第１の端部が第１のチップ端部および第２のチップ端部を有するスリーブと、
前記チップカートリッジを保持するためのものであって、止め部と一対のフックとを有し、各フックが先端部およびボタンを有しており、前記スリーブに連結可能であり、前記第２の端部が前記止め部に接し、前記第１の端部が前記第１のチップ端部と前記第２のチップ端部の間に前記フックをそれぞれ受け入れ、前記チップ保持機構により固定可能な状態に保持されるスリーブストッパと、
前記フックの前記先端部に係合して前記スリーブストッパに固定するソケットアセンブリと、を備えた、カートリッジ型はんだごて。
【請求項１５】
チップカートリッジとソケットアセンブリとを有するカートリッジ型はんだごて用のスリーブアセンブリであって、
フックを有し、前記チップカートリッジに連結され、前記フックにより前記ソケットアセンブリに固定されるスリーブストッパと、
前記スリーブストッパをスライド可能に覆うように構成されたスリーブと、を備えたスリーブアセンブリ。
【発明の詳細な説明】
【技術分野】
【０００１】
本発明は、一般に、カートリッジ型はんだごてに関し、特に、固定位置で互いに連結されるスリーブアセンブリとソケットアセンブリを有するカートリッジ型はんだごてに関する。
【背景技術】
【０００２】
本願で対象とするこのタイプのカートリッジ型はんだごては、取り外し可能で交換可能なチップカートリッジを有している。例えば、Ｃｏｗｅｌｌに対して発行された米国特許第４，８３９，５０１号にカートリッジ型はんだごてが開示されている。Ｃｏｗｅｌｌは、内部同軸ソケットアセンブリ、電源への接続部、およびカートリッジ筐体支持体を組み込んだ中空の円筒型ハンドル、はんだこて先、ヒータアセンブリ、管状筐体、および同軸ソケットアセンブリを有するカートリッジ型はんだごてを開示している。その他にもＹｏｋｏｏによる特許文献１に開示されているものがあり、取り外しおよび交換可能なハンドルを備えたカートリッジ型はんだごてという名称がつけられている。
【特許文献１】米国特許第６，７１０，３０４号
【発明の開示】
【０００３】
本発明にかかるカートリッジ型はんだごては、スリーブ、スリーブストッパ、チップカートリッジ、およびソケットアセンブリを提供する。スリーブストッパは止め部を有しており、スリーブストッパがスリーブ内に挿入されるとスリーブが止め部に接する。スリーブストッパは、チップカートリッジに設けられているチップ保持機構によってチップカートリッジに対して固定される。はんだごてのソケットアセンブリは、スリーブストッパおよびソケットアセンブリが互いに対して固定されるように、スリーブストッパのフックがそれぞれ係合する開口部を有している。
【０００４】
スリーブは、どのような色であってもよく、円形、六角形、または多角形の周囲を持つことができるが、その形状は、持ちやすくスリーブとして良好に機能するのであればさまざまであってよい。スリーブは、持ちやすく正確に持てるように滑らない材料で作られており、ユーザーの指を保護するために一般に熱を伝えない。
【０００５】
本発明の上述の特徴並びに多くの他の特徴および付随する利点は、以下の詳細な説明の考察から、添付の図面とともに考慮することで明らかになるであろう。
【発明を実施するための最良の形態】
【０００６】
本明細書は、限定的な意味に取られるべきでなく、本発明の全般的な原理を説明する目的でなされるものである。項目の名称および本発明の詳細な説明の全体的な構成は単に便宜上のものであり、本発明を限定することを意図するものではない。
【０００７】
図１は、本発明にかかるカートリッジ型はんだごて用のスリーブ１を例示している。本実施形態では、スリーブ１は、周囲が六角形であるので、長手方向に延びる複数の峰部３、５を有している。スリーブが良好な把持性を提供し以下に説明するスリーブストッパと適合するのであれば、滑らかな円形のスリーブだけでなく他のどのような形状でも採用できる。図９は、本発明の円形スリーブ１６の断面図である。図９の円形スリーブは、円形スリーブ１６の末端部１５ａ側から示されている。このスリーブは円形の外周１７および別の円形の内周１８を有している。内周１８には、円形スリーブ１６の長手方向に延びる複数の隆起部１９が設けられている。図９に示す円形スリーブ１６のこの具体的な実施態様では６つの隆起部１９が設けられている。これらの隆起部１９は、ヒータからの熱伝導を遅らせる断熱体として機能する。
【０００８】
図１の六角形スリーブ１では、末端部１５は、切り立ったようになっているが、他方の端部は、ショルダー部９，１３において周囲が狭まるように傾斜し、２つのチップ端部７、１１までそれぞれ延びている。チップ端部７、１１は、一対の切り欠き８を画定している。図９では、円形スリーブ１６は、対応するチップ端部７ａ、１１ａおよび一対の切り欠き８ａを有している。
【０００９】
ここに示す本発明の実施態様において、スリーブ１，１６はポリプロピレンから形成されている。また、スリーブ１，１６は、当業者にとって公知のさまざまな材料から形成されていてもよい。それらの材料としては、ゴム、エラストマー、ポリオレフィンおよびその他のプラスチックが挙げられる。さらに、帯電防止材料および／または抗菌材料を加えてもよい。加えて、ポリオレフィンではなく、その代わりにコルクを使用することもできる。
【００１０】
図２および図３は、一端に止め部２７、他端に一対のフック２４を有するスリーブストッパ２１を示している。フック２４は、ボタン２４ａおよびフック先端部２３を有している。一対の段部２９および３１がスリーブストッパ２１の本体に設けられていて、スリーブ１にぴったりとフィットする手助けとなっている。スリーブストッパ２１は一対の開口部３３を有している。一組のＯリング２５が同様に設けられている。スリーブストッパ２１は、図４に示すように、フック２４がチップ端部７、１１の間にそれぞれ配置されるところに、スリーブ１にスライド可能に連結される。スリーブ１がスリーブストッパ２１を覆うように挿入されると、スリーブ１の末端部１５がスリーブストッパ２１の止め部２７に接触し止め部２７に対して位置決めされる。
【００１１】
スリーブストッパ２１は、例えば、もし熱伝導によってこて先の熱でスリーブストッパの領域が熱くなるようならば、断熱材料で形成してもよい。スリーブストッパ２１の止め部２７は温度感知材料で形成してよく、こうするとはんだのこて先が熱くなるにつれて温度感知の度合いに従って色が変わることでユーザーに対してそれが熱くなっていることまたは故障のリスクを知らせるようにできる。
【００１２】
図５は、本発明による実施態様において採用されているチップカートリッジ３５を示している。チップカートリッジ３５は、その本体に設けられている２つの隆起部３７、３９と、バーコード４１、４２、４３とを有している。バーコード４１、４２、４３はチップカートリッジのタイプおよびそれに対応する温度条件を識別するもので、チップカートリッジ３５のステンレス部分４７に設けられている。一組の接続部分４４および４５が非導電性材料４６上に設けられている。チップカートリッジ３５の隆起部３９はチップ保持機構として用いられる。チップカートリッジ３５がスリーブストッパ２１に挿入されると、図６の断面図に見られるように、隆起部またはチップ保持機構３９がスリーブストッパ２１の開口部３３で停止する。このようにしてチップカートリッジ３５はスリーブストッパ２１に対して固定される。切り欠き８がフック２４を受け入れるようにスリーブ１でスリーブストッパ２１を覆う。Ｏリング２５は、アーム２２を、図３に示されるように、アーム２２間に所定の間隔を残す程度に拘束する。アーム２２は、フック２４が対応する開口部４０においてソケットアセンブリ７０にスライド可能に引っかかり、はんだごての通常の使用中は引っかかり状態を維持する程度に拘束される。また、Ｏリング２５は、十分な力でチップカートリッジ３５を保持し固定して拘束するため、チップカートリッジ３５がスリーブストッパ２１内でスライド可能にフィットし、それと同時に固定された状態を維持し、従来のシステムでしばしばあったように離れてしまうようなことがない。２つのＯリング２５のうちの少なくとも１つが使用され得る。
【００１３】
次に、スリーブストッパ２１は以下の方法でソケットアセンブリ７０に固定される。上述のように、本発明の実施態様におけるスリーブストッパ２１には一対のフック２４が設けられている。スリーブストッパ２１およびスリーブ１からなるスリーブアセンブリがチップカートリッジ３５を保持し、そのまとまった組合せ体がソケットアセンブリ７０に挿入されると、フック端部２３はソケットアセンブリ７０の開口部４０にスライド可能に固定される。組み立てられたはんだごての断面図を図１０に示す。
【００１４】
上述のように、スリーブアセンブリはチップカートリッジ３５を保持した状態で交換可能であり、スリーブアセンブリおよびチップカートリッジ３５を含むまとまった組合せ体は、フック２４および開口部４０を備える固定機構によって、ソケットアセンブリ７０に固定できる。
【００１５】
ソケットアセンブリ７０は、電源に接続する電気コード８０の端部にプラグ（図示せず）を有している。図１０はソケットアセンブリ７０を断面図で示しており、またコネクタ９０を示している。チップカートリッジ３５の接続部分４４および４５は、チップカートリッジ３５に電力を供給するためにコネクタ９０に接続される。
【００１６】
従来技術のシステムでは、ソケットアセンブリははんだごての他の部分から離れてしまうことがしばしばある。このように離れてしまうのは、ソケットアセンブリとカートリッジ型はんだごての他の部分との間の固定または連結が不十分であることが原因である。このようなことが起こるのは、チップカートリッジがそれ単体でまたはカートリッジ型はんだごての他の部分とともにソケットアセンブリに単に挿入されているだけであり、ソケットアセンブリに対する機械的な保持が不十分であるためである。
【００１７】
このようなタイプのカートリッジ型はんだごてとは異なり、本発明にかかるはんだごては、上述のように固定機構を備えることにより、一方のスリーブアセンブリと他方のソケットアセンブリとの間で安定して強い機械的な連結を提供できる。従って、カートリッジ型はんだごて全体は、一体の状態を維持でき、同時に、スリーブストッパおよびスリーブを備えるチップカートリッジのアセンブリは、簡単に交換できる。
【００１８】
本発明にかかるカートリッジはんだごては、固定機構がスリーブ１の上で、取っ手の邪魔にならないところに配置されているので、使用が簡単である。ボタン２４ａ、フックの先端部２３などの部品は、非常に小型であり、はんだごての長手方向の覆われた表面の他の部分とほぼ同一平面上にある。
【００１９】
本願で説明する実用的な実施態様は本発明の技術を説明するための例にすぎず、本発明は、上述の例のみに限定されるものではなく、この発明および特許請求の範囲に記載の範囲内およびそれらの意図する中での変更および改良を含むより広い意味で解釈されるべきである。
【図面の簡単な説明】
【００２０】
【図１】本発明にかかるカートリッジはんだごての六角形のスリーブを示している。
【図２】本発明におけるスリーブストッパを示している。
【図３】図２のスリーブストッパを他の方向から見た図を示している。
【図４】図２および図３に示すスリーブストッパに連結されている図１の六角形スリーブを示している。
【図５】本発明で用いるチップカートリッジを示している。
【図６】チップカートリッジに係合されたスリーブストッパおよびスリーブを示している。
【図７】本発明にかかるはんだごてのソケットアセンブリを示している。
【図８】スリーブおよびスリーブストッパを備えた本発明にかかるはんだごてを示している。
【図９】本発明における円形スリーブの側面図を示している。
【図１０】本発明のはんだごての断面図を示している。
【図１】
2009528167.tif 000003
【図２】
2009528167.tif 000004
【図３】
2009528167.tif 000005
【図４】
2009528167.tif 000006
【図５】
2009528167.tif 000007
【図６】
2009528167.tif 000008
【図７】
2009528167.tif 000009
【図８】
2009528167.tif 000010
【図９】
2009528167.tif 000011
【図１０】
2009528167.tif 000012
【国際調査報告】
2009528167.tif 000013
2009528167.tif 000014
2009528167.tif 000015